(57)【要約】【課題】ユーザが配達物受け箱等の物品受けのそばを通ったときに、物品受けの中を確認することなく、ユーザがその物品受けの中に物品が存在していることを知ることができる【解決手段】ユーザが物品受け２０Ｐのそばを通ったときに物品受け２０Ｐの中に物品が存在すると、物品受け２０Ｐ内の無線装置が第１の識別情報を含む無線信号を送信する。ユーザが所持する通信端末５０は、その無線信号を受信する。通信端末５０は、受信した第１の識別情報と該通信端末５０に記憶された第２の識別情報が対応する場合には、物品受け２０Ｐに物品が存在することをユーザに通知する。【選択図】図１
2016137963.tif 000002
【特許請求の範囲】
【請求項１】
物品を受ける物品受けと、前記物品受けの中の前記物品の存在に関する情報を提供する物品存在情報提供部と、前記物品受けに取り付けられ無線信号を送信する無線装置と、前記無線信号を受信する通信端末と、を有する物品存在通知システムであって、
前記無線装置は、
第１の識別情報を記憶する記憶部と、
前記物品存在情報提供部から前記物品の存在に関する情報を取得し、前記物品の存在に関する情報を基に前記物品受けに前記物品が存在するか否かを判定する判定部と、
前記判定部が前記物品受けに前記物品が存在すると判定している間、前記第１の識別情報を含む無線信号を送信する送信部と、を備え、
前記通信端末は、
前記無線装置から送信された前記無線信号を受信する受信部と、
第２の識別情報を記憶する記憶部と、
受信した前記無線信号に前記第１の識別情報が含まれる場合に、前記第１の識別情報と前記通信端末の記憶部に記憶された前記第２の識別情報が対応するか否かを判定し、前記第１の識別情報と前記第２の識別情報が対応する場合には、前記物品の存在を通知する通知部と、を備える
物品存在通知システム。
【請求項２】
前記物品存在情報提供部は、前記物品受けの中に前記物品が存在することを検知する検知部であり、
前記検知部は、前記物品受けの中の前記物品の存在に関する情報として前記検知の結果を出力し、
前記判定部は、前記検知部による前記検知の結果を基に前記物品受けに前記物品が存在するか否かを判定する
請求項１に記載の物品存在通知システム。
【請求項３】
前記検知部は、重量センサである
請求項２に記載の物品存在通知システム。
【請求項４】
前記検知部は、光センサである
請求項２に記載の物品存在通知システム。
【請求項５】
前記物品受けは、
前記物品が投入される物品投入扉と、
前記物品が取り出される物品取出し扉と、を有し、
前記検知部として、
前記物品投入扉の開放を検知する投入検知センサと、
前記物品取出し扉の開放を検知する取出し検知センサと、を有し、
前記無線装置の判定部は、前記投入検知センサが前記物品投入扉の開放を検知し、かつ前記取出し検知センサが前記物品取出し扉の開放を検知しない場合に、前記物品受けに前記物品が存在すると判定する
請求項２に記載の物品存在通知システム。
【請求項６】
前記物品存在情報提供部は、前記物品受けの中に前記物品が投入される際に第３の識別情報の入力が行われる入力部及び前記入力部により入力された前記第３の識別情報を記憶する記憶部を備える入力装置であり、
前記無線装置の記憶部は、前記入力装置の記憶部に記憶された前記第３の識別情報を前記第１の識別情報として記憶し、
前記無線装置の判定部は、前記物品の存在に関する情報として前記無線装置の記憶部に記憶された前記第１の識別情報を基に前記物品受けに前記物品が存在するか否かを判定する
請求項１に記載の物品存在通知システム。
【請求項７】
前記判定部は、前記検知部による前記検知の結果を基に前記物品受けに前記物品が存在するか否かを判定するともに、物品単位の情報を元に前記物品受けに存在する前記物品の状態情報を判定し、判定の結果を送信部へ出力し、
前記判定部が前記物品受けに前記物品が存在すると判定している間、前記送信部は、前記第１の識別情報及び前記物品の状態情報を含む無線信号を送信する送信部と、
請求項２乃至４のいずれかに記載の物品存在通知システム。
【請求項８】
前記第１の識別情報、前記第２の識別情報及び第３の識別情報は、前記物品受けの使用者を識別する情報である
請求項１乃至７のいずれかに記載の物品存在通知システム。
【請求項９】
物品を受ける物品受けと、前記物品受けの中に前記物品が存在することを検知する検知部と、前記物品受けに取り付けられ無線信号を送信する無線装置と、を有する物品存在通知装置であって、
前記無線装置は、
識別情報を記憶する記憶部と、
前記検知部による前記検知の結果を基に前記物品受けに前記物品が存在するか否かを判定する判定部と、
前記判定部が前記物品受けに前記物品が存在すると判定している間、前記識別情報を含む無線信号を送信する送信部と、を備える
物品存在通知装置。
【請求項１０】
物品を受ける物品受けと、前記物品受けの中に前記物品が投入される際に識別情報の入力が行われる入力部及び前記入力部により入力された識別情報を記憶する記憶部を備える入力装置と、前記物品受けに取り付けられ無線信号を送信する無線装置と、を有する物品存在通知装置であって、
前記無線装置は、
前記入力装置の前記記憶部に記憶された前記識別情報を基に前記物品受けに前記物品が存在するか否かを判定する判定部と、
前記判定部が前記物品受けに前記物品が存在すると判定している間、前記識別情報を含む無線信号を送信する送信部と、を備える
物品存在通知装置。
【請求項１１】
物品を受ける物品受けと、前記物品受けの中の前記物品の存在に関する情報を提供する物品存在情報提供部と、前記物品受けに取り付けられ無線信号を送信する無線装置と、前記無線信号を受信する通信端末と、を有する物品存在通知システムによる物品存在通知方法であって、
前記無線装置が備える判定部が、前記物品存在情報提供部から前記物品の存在に関する情報を取得し、前記物品の存在に関する情報を基に前記物品受けに前記物品が存在するか否かを判定するステップと、
前記無線装置が備える送信部が、前記判定部が前記物品受けに前記物品が存在すると判定している間、前記無線装置が備える記憶部に記憶された第１の識別情報を含む無線信号を送信するステップと、
前記通信端末が備える受信部が、前記無線装置から送信された前記無線信号を受信するステップと、
前記通信端末が備える通知部が、前記受信部が受信した前記無線信号に前記第１の識別情報が含まれる場合に、前記第１の識別情報と前記通信端末が備える記憶部が記憶する第２の識別情報が対応するか否かを判定するステップと、
前記通知部が、前記第１の識別情報と前記第２の識別情報が対応する場合に、前記物品の存在を通知するステップと、を含む
物品存在通知方法。
【発明の詳細な説明】
【技術分野】
【０００１】
本発明は、宅配物等の物品が存在することを通知する物品存在通知システム、物品存在通知装置及び物品存在通知方法に関する。
【背景技術】
【０００２】
従来、配達物受けに自分宛の配達物が届いているかどうかを知るために、居住者は実際に配達物受けの中を確認する必要があった。このような問題の対策として、配達物受けに配達物が届いたときに、その旨を居住者が所持する通信端末にメールで通知するシステムが存在する。
【０００３】
例えば特許文献１に、配達物受け箱内にバーコードリーダ及び非接触ＩＣタグリーダを備える情報出力装置が設けられた、配達物受け箱システムが開示されている。情報出力装置は、バーコードリーダ等が読み取ったデータをホームサーバに送出する。ホームサーバは、情報出力装置から情報を受け取ると、ダイヤルアップ接続を行ってプロバイダに接続し、情報送信サービスサイトに居住者の携帯電話端末へメール送信を依頼する。この依頼を受けた情報送信サービスサイトが居住者の携帯電話端末にメールを送信することにより、配達物受け箱に配達物が投入されたことが居住者に通知される。
【先行技術文献】
【特許文献】
【０００４】
【特許文献１】特開２００２−３２５６７６号公報
【発明の概要】
【発明が解決しようとする課題】
【０００５】
特許文献１に開示された配達物受け箱システムでは、居住者は外出先でも配達物受け箱に配達物が投入されたことを知ることができる。しかし、居住者が外出先から自宅に戻る間に配達物が配達されたことを失念してしまった場合には、居住者は自宅に戻ったときに配達物を取り出すことなく配達物受け箱の前を通過してしまう。また、外出先で通知を受けた居住者が実際に配達物受け箱の中を確認したときには、既に家族が配達物を取り出した後だったということもある。
【０００６】
本発明はこのような状況に鑑みて成されたものであり、ユーザが配達物受け箱等の物品受けのそばを通ったときに、物品受けの中を確認することなく、ユーザがその物品受けの中に物品が存在していることを知ることができるようにすることを目的とする。
【課題を解決するための手段】
【０００７】
本発明の一態様の物品存在通知システムは、物品を受ける物品受けと、その物品受けの中の物品の存在に関する情報を提供する物品存在情報提供部と、物品受けに取り付けられ無線信号を送信する無線装置と、無線信号を受信する通信端末とを有する。
無線装置は、第１の識別情報を記憶する記憶部と、物品存在情報提供部から物品の存在に関する情報を取得し、その物品の存在に関する情報を基に物品受けに物品が存在するか否かを判定する判定部と、その判定部が物品受けに物品が存在すると判定している間、第１の識別情報を含む無線信号を送信する送信部とを備える。
通信端末は、無線装置から送信された無線信号を受信する受信部と、第２の識別情報を記憶する記憶部と、受信した無線信号に第１の識別情報が含まれる場合に、第１の識別情報と通信端末の記憶部に記憶された第２の識別情報が対応するか否かを判定し、第１の識別情報と第２の識別情報が対応する場合には、物品の存在を通知する通知部と、を備える。
【発明の効果】
【０００８】
本発明の少なくとも一態様によれば、ユーザが自分の物品受けのそばを通ったときに物品受けの中に物品が存在すると、物品受けに取り付けられた無線装置が第１の識別情報を含む無線信号を送信する。ユーザが所持する通信端末は、無線信号を受信すると、受信した第１の識別情報と該通信端末に記憶された第２の識別情報が対応する場合には、物品受けに物品が存在することをユーザに通知する。それゆえ、ユーザは、自分の物品受けのそばを通ったときに、物品受けの中を確認することなく、その物品受けの中に物品があることを知ることができる。
上記した以外の課題、構成及び効果は、以下の実施の形態の説明により明らかにされる。
【図面の簡単な説明】
【０００９】
【図１】本発明の第１の実施の形態に係る物品存在通知システムが適用された集合配達物受けの概要を示す全体構成図である。
【図２】図１の配達物受けを表側から見た場合の斜視図である。
【図３】図１の配達物受けを裏側から見た場合の斜視図である。
【図４】配達物受け内の検知部及びビーコン装置、通信端末のハードウェア構成例を示すブロック図である。
【図５】本発明の第１の実施の形態に係る物品存在通知処理を示すフローチャートである。
【図６】通信端末の表示部の表示例を示す平面図である。
【図７】本発明の第１の実施の形態の変形例に係る配達物受けを表側から見た場合の斜視図である。
【図８】本発明の第１の実施の形態の変形例に係る配達物受けを裏側から見た場合の斜視図である。
【図９】本発明の第１の実施の形態の変形例に係る物品存在通知処理を示すフローチャートである。
【図１０】本発明の第２の実施の形態に係る物品存在通知システムが適用された集合宅配ボックスの概要を示す全体図である。
【図１１】集合宅配ボックス内の入力装置及びビーコン装置、通信端末のハードウェア構成例を示すブロック図である。
【図１２】本発明の第２の実施の形態に係る物品存在通知処理を示すシーケンス図である。
【図１３】本発明の第３の実施の形態に係る配達物受けの外観図である。
【図１４】本発明の第３の実施の形態に係る配達物受けが適用された倉庫の外観図である。
【発明を実施するための形態】
【００１０】
本発明を実施するための形態の例について、添付図面を参照しながら説明する。なお、各図において実質的に同一の機能又は構成を有する構成要素については、同一の符号を付して重複する説明を省略する。
【００１１】
＜１．第１の実施の形態＞
以下、図１〜図６を参照して、本発明の第１の実施の形態に係る物品存在通知システムを説明する。
【００１２】
［１−１．物品存在通知システムの全体構成］
図１は、本発明の第１の実施の形態に係る物品存在通知システムが適用された集合配達物受けの概要を示す全体構成図である。
郵便物や宅配物等の配達物Ｄが投入される集合配達物受け２０にビーコン装置４０が配置される。ビーコン装置４０は、集合配達物受け２０を構成する各戸の配達物受け２０Ｐごとに設置される。一般に集合配達物受け２０は、マンション等の集合住宅の共通設備として、集合住宅の居住者の動線上（例えば玄関など）に設置される。
【００１３】
例えば居住者であるユーザＵが自分の配達物受け２０Ｐのそばを通ったときに配達物受け２０Ｐの中に配達物Ｄが投入されていると、ユーザＵが所持する通信端末５０は配達物受け２０Ｐに配置されたビーコン装置４０から無線信号として識別情報を含むビーコン信号Ｂ１（後述する図４参照）を受信する。そして、ビーコン信号Ｂ１を受信した通信端末５０には、配達物受け２０Ｐの中に配達物Ｄが存在することを示す画面等が表示される。ユーザＵが所持する通信端末５０としては、例えばスマートフォンと称される携帯端末が使用される。
【００１４】
図１に示した配達物受け２０Ｐ（集合配達物受け２０）は物品受けの一例である。また、物品存在通知システム１で通知の対象となる物品は、郵便物や宅配物に限らない。本発明に係る物品存在通知システムは、物品の受け渡しに利用される物品受けを有し、物品受けの中に投入された物品が存在しているかどうかをユーザＵが把握することに応用可能である。
【００１５】
［１−２．配達物受けの構成］
次に、配達物受け２０Ｐの構成例を説明する。
図２は、配達物受け２０Ｐを表側から見た場合の斜視図である。図３は、配達物受け２０Ｐを裏側から見た場合の斜視図である。
【００１６】
図２に示すように、配達物受け２０Ｐは箱状の本体部２１を有する。本体部２１の前面２１Ｆの一部に開口部が形成され、その開口部を覆うように配達物投入扉２２（物品投入扉の一例）が配置されている。配達物投入扉２２は、上端が不図示のヒンジ部を介して本体部２１の上面の端部に取り付けられ、内側に開くことができるようになっている。配達員が配達物投入扉２２を内側の方向に押し上げることで開口部が現れ、配達員は本体部２１の内部に配達物Ｄを投入することができる。本体部２１の前面２１Ｆの任意の位置に、ビーコン装置４０が取り付けられている。
【００１７】
一般に配達物受け２０Ｐの本体部２１は金属で成形されるため、ビーコン装置４０はユーザが通行する側（例えば本体部２１の前面２１Ｆ）にあることが望ましい。ただし、本体部２１（特に前面側）にプラスチック（合成樹脂）等の電磁波を遮蔽しない材料が使用される場合又はその一部にのみ金属が使用される場合には、本体部２１の内部など、ビーコン装置４０を本体部２１の任意の位置に取り付けることが可能である。また、ビーコン装置４０と接続するアンテナが本体部２１の外部に露出するように取り付けられる場合にも、ビーコン装置４０を本体部２１の任意の位置に取り付けることが可能である。
【００１８】
図３に示すように、本体部２１の後面２１Ｂに開口部が形成され、その開口部を覆うように配達物取出し扉２３（物品取出し扉の一例）が配置されている。配達物取出し扉２３は、一端部（図３では左端）が不図示のヒンジ部を介して本体部２１の側面の端部に取り付けられ、外側に開くことができるようになっている。ユーザは、配達物取出し扉２３を外側の方向に開くことで、本体部２１の中にある配達物Ｄを取り出すことができる。
【００１９】
また、本体部２１内部の底面には、後述する検知部３０（図４参照）として重量センサ３１が配置されている。重量センサ３１は、荷重が加えられたことを検知すると検知信号を出力する（オン状態）。この検知信号は、ビーコン装置４０へ供給される。
【００２０】
［１−３．物品存在通知システムのハードウェア構成例］
図４は、配達物受け２０Ｐ内の検知部３０及びビーコン装置４０、通信端末５０のハードウェア構成例を示すブロック図である。
【００２１】
まず、検知部３０について説明する。
配達物受け２０Ｐに設けられた検知部３０は、配達物受け２０Ｐの中の配達物Ｄ（物品）の存在に関する情報を提供する物品存在情報提供部の一例である。検知部３０は、配達物受け２０Ｐに配達物Ｄが投入されると配達物Ｄが存在することを検知し、配達物受け２０Ｐに配達物Ｄが投入されている間、その検知結果を配達物Ｄの存在に関する情報としてビーコン装置４０の判定部４１に供給する。例えば、検知部３０として重量センサ３１を用いた場合には、重量センサ３１の検出面に配達物Ｄが載って荷重がかかっている間、荷重を検知して検知信号を出力する。なお、検知部３０として、重量センサ３１に限らず、光センサ（透過型、反射型）などの他のセンサを用いてもよい。
【００２２】
次に、ビーコン装置４０の構成について説明する。
ビーコン装置４０（無線装置の一例）は、判定部４１、送信部４２、及び記憶部４３を備える。
【００２３】
判定部４１は、検知部３０から供給される配達物Ｄの存在に関する情報（検知結果）に基づいて、配達物受け２０Ｐに配達物Ｄが存在するか否かを判定する。その判定結果は送信部４２に供給される。
【００２４】
記憶部４３は、各戸の配達物受け２０Ｐに配置された個々のビーコン装置４０を識別するための識別情報（第１の識別情報）を記憶する。この第１の識別情報によりビーコン装置４０が識別され、それにより各戸の配達物受け２０Ｐが識別される。そして、第１の識別情報を用いることで、配達物受け２０Ｐと紐つけられた通信端末５０を所持するユーザ、即ち配達物受け２０Ｐの使用者（例えば居住者）も識別可能となる。記憶部４３は、例えば、ＲＡＭ（Random Access Memory）、ＲＯＭ（Read Only Memory）等として用いられる記憶媒体（例えば、メモリカード）によって構成されている。
【００２５】
送信部４２は、判定部４１が配達物受け２０Ｐに配達物Ｄが存在すると判定している間、記憶部４３に記憶されている第１の識別情報を含む無線信号としてビーコン信号Ｂ１を、ビーコン装置４０の周囲に周期的に送信する。送信部４２と、通信端末５０が備える受信部５１との間で用いられる通信規格としては、例えば、Ｂｌｕｅｔｏｏｔｈ（登録商標）やＢＬＥ（Bluetooth Low Energy）等の近距離無線通信規格が適している。例えば、ＢＬＥ規格に対応するビーコン装置４０は、送信部４２からビーコンＩＤを含むアドバタイジングデータをビーコン信号としてブロードキャストによりビーコン装置４０の周囲に送信することができる。ビーコン信号は、送信が行われる期間内に、一定周期（例えば数百ｍ秒から数秒ごと）で繰り返し送信される。
【００２６】
送信部４２がビーコン信号Ｂ１を送信する際には、例えばビーコン装置４０から最大で１０ｍ程度の範囲内にある通信端末５０が受信できる程度の強度で送信する。ビーコン信号Ｂ１の到達距離を１０ｍ程度とするのは一例であり、送信部４２は、それとは異なる強度でビーコン信号Ｂ１を送信してもよい。
【００２７】
次に、通信端末５０の構成を説明する。
通信端末５０は、受信部５１、処理部５２、記憶部５４、操作部５５、表示部５６及び音声出力部５７を備える。
【００２８】
受信部５１は、ビーコン装置４０から送信されたビーコン信号を受信可能な通信部の一例である。受信部５１がビーコン信号Ｂ１を受信すると、そのビーコン信号に含まれる識別情報などの付加情報が、処理部５２に供給される。受信部５１がビーコン信号Ｂ１を受信する処理は、例えば通信端末５０の処理部５２が実行するオペレーションシステムの制御下で行われる。あるいは、処理部５２のアプリケーション実行部５３が実行するアプリケーションプログラムにより、受信部５１がビーコン信号Ｂ１を受信するようにしてもよい。また、受信部５１は、無線ＬＡＮ（Local Area Network）等を介して外部機器と相互に通信を行うことも可能である。
【００２９】
処理部５２は、通知部の一例であり、アプリケーション実行部５３を備える。処理部５２には、例えばＣＰＵ（Central Processing Unit）等の演算処理装置が用いられ、アプリケーション実行部５３が記憶部５４に格納されたアプリケーションプログラムを実行することにより、通信端末５０内の各部の動作を制御する。この処理部５２は、受信部５１が受信したビーコン信号に含まれる識別情報（第１の識別情報）と、記憶部５４に記憶された識別情報（第２の識別情報）とが対応していると判定した場合に、記憶部５４から読み出した表示情報を表示部５６に表示する。
【００３０】
記憶部５４は、ビーコン装置４０を識別するための識別情報（第２の識別情報）と、表示情報とを記憶する。第２の識別情報は、第１の識別情報のいずれかと対応する（一致を含む）。この第２の識別情報の記憶作業は、例えば操作部５５を用いたユーザ操作により行われる。また、表示情報には、配達物受け２０Ｐに配達物Ｄが存在することを示す情報（例えばメッセージを含む画像）が含まれる。この記憶部５４も、記憶部４３と同様に、例えば、ＲＡＭ、ＲＯＭ等として用いられる記憶媒体によって構成されている。
【００３１】
操作部５５は、通信端末５０の筐体に配置された不図示のボタン、スイッチの他に画面タッチによって行われた、操作入力の内容を処理部５２に出力する。なお、通信端末５０では、操作部５５と表示部５６は、操作面と表示面とを重ねたタッチパネルディスプレイとして用いられている。
【００３２】
表示部５６は、受信部５１がビーコン装置４０から受信したビーコン信号に基づいて、配達物受け２０Ｐに配達物Ｄが存在することを示す情報を出力する出力部の一例として用いられる。
【００３３】
音声出力部５７は、出力部の一例であり、スピーカ等を備え、放音によりユーザＵに表示情報（メッセージ）の内容を通知してもよい。
【００３４】
［１−４．ビーコン信号の送信による通知動作（物品存在通知処理）］
次に、物品存在通知システム１による物品存在通知処理を説明する。
図５は、本発明の第１の実施の形態に係る物品存在通知処理を示すフローチャートである。図５において、左側のラインが、配達物受け２０Ｐ内のビーコン装置４０の処理の流れを示し、右側のラインが、通信端末５０の処理の流れを示す。
【００３５】
図５に示すように、配達物受け２０Ｐに設けられたビーコン装置４０の判定部４１は、まず検知部３０である重量センサ３１（図３）が荷重を検知したかどうか、すなわち重量センサ３１が検知信号を出力（オン状態）したかどうかを判定する(ステップＳ１)。
【００３６】
判定部４１は、重量センサ３１から検知信号を受信した場合には（ステップＳ１のＹＥＳ）、配達物受け２０Ｐに配達物Ｄが存在すると判定し（ステップＳ２）、判定結果を送信部４２へ送信する。送信部４２は、配達物受け２０Ｐに配達物Ｄが存在するという判定結果を受けて、ビーコン信号Ｂ１を周囲に送信する（ステップＳ３）。このとき送信されるビーコン信号Ｂ１には、記憶部４３に記憶されている第１の識別情報が付加されている。
【００３７】
また、判定部４１は、重量センサ３１から検知信号を受信しなかった場合には（ステップＳ１のＮＯ）、配達物受け２０Ｐに配達物Ｄが存在しないと判定し（ステップＳ４）、判定結果を送信部４２へ供給する。送信部４２は、配達物受け２０Ｐに配達物Ｄが存在しないという判定結果を受けて、ビーコン信号Ｂ１を送信しない。あるいは、送信部４２が既にビーコン信号Ｂ１を送信していた場合には、ビーコン信号Ｂ１の送信を停止する（ステップＳ５）。ステップＳ３又はステップＳ５の処理が終了後、ステップＳ１に戻る。
【００３８】
通信端末５０を所持するユーザが配達物受け２０Ｐの近く（例えば前）を通ると、ビーコン装置４０から送信されたビーコン信号Ｂ１が、通信端末５０の受信部５１で受信される。処理部５２は、受信部５１でビーコン信号Ｂ１が受信されたかどうかを判定し（ステップＳ６）、ビーコン信号Ｂ１が受信されていない場合にはビーコン信号Ｂ１に対する監視を継続する（ステップＳ６のＮＯ）。
【００３９】
次に、通信端末５０の受信部５１がビーコン信号Ｂ１を受信すると（ステップＳ６のＹＥＳ）、処理部５２は、受信したビーコン信号Ｂ１から第１の識別情報を取り出す。そして、処理部５２は、受信した第１の識別情報と記憶部５４から読み出した第２の識別情報とを比較し、第１の識別情報と第２の識別情報とが対応（一致を含む）するか否かを判定する（ステップＳ７）。第１識別情報と第２識別情報とが同じであれば、受信したビーコン信号Ｂ１はユーザＵが持つ通信端末５０を対象として送信されたビーコン信号であることが分かる。
【００４０】
ステップＳ７の判定処理において、受信した第１の識別情報と記憶部５４に記憶された第２の識別情報が対応するとき、処理部５２は、ユーザＵの配達物受け２０Ｐに配達物Ｄが存在することを通知する処理を行う（ステップＳ８）。例えば処理部５２は、配達物Ｄがあることを知らせる画像を表示部５６に表示したり、音声出力部５７から音声を出力したりする。そして、処理部５２は、ステップＳ８の処理が終了すると、ステップＳ６の判定処理に戻りビーコン信号Ｂ１の監視を継続する。
【００４１】
その後、ユーザＵが配達物受け２０Ｐから配達物Ｄを取り出すと、重量センサ３１に荷重がかからず検知信号が出力されなくなる（ステップＳ１のＮＯ）。それにより、ビーコン装置４０の判定部４１は、配達物Ｄが存在しないと判定し(ステップＳ４)、送信部４２はビーコン信号Ｂ１の送信を停止する（ステップＳ５）。
【００４２】
［１−５．表示と音声による通知の例］
図６は、通信端末５０の表示部５６の表示例を示す。
図６に示すように、表示部５６には、ユーザＵの配達物受け２０Ｐに配達物Ｄが存在することを示すメッセージ「配達物受けに配達物があります！！」が表示される。また、通信端末５０の音声出力部５７（図２）に接続されたスピーカ５７ａから、表示されたメッセージと同じ内容の音声「配達物受けに配達物があります」又は所定の通知音が出力される。この「配達物受けに配達物があります」の音声は、例えば記憶部５４に記憶されている。
【００４３】
以上述べた第１の実施の形態によれば、ユーザＵは自分の配達物受け２０Ｐのそばを通ったときに、配達物受け２０Ｐの中を確認することなく、配達物受け２０Ｐの中に配達物Ｄが存在していることを知ることができる。
【００４４】
それにより、例えばユーザＵが毎日、外出先から自宅に帰ったときなどに配達物受け２０Ｐの中を確認する必要がない。
また、ユーザＵが自分の配達物受け２０Ｐのそばを通ったときに、配達物受け２０Ｐの中に配達物Ｄがあることが知らされるため、配達物Ｄの取り出しを忘れることがなくなる。
さらに、配達物Ｄが取り出されると検知部３０から検知信号が出力されないため、ユーザＵは、家族が配達物Ｄを取り出したことを知らずに配達物受け２０Ｐの中を確認する必要がなくなる。
【００４５】
［１−６．第１の実施の形態の変形例］
次に、第１の実施の形態の変形例を説明する。第１の実施の形態の変形例は、物品受けの一例である配達物受け２０Ｐに、配達物投入扉２２及び配達物取出し扉２３の各々の開放を検知するセンサを設けたものである。
【００４６】
図７は、本発明の第１の実施の形態の変形例に係る配達物受けを表側から見た場合の斜視図である。図８は、本発明の第１の実施の形態の変形例に係る配達物受けを裏側から見た場合の斜視図である。図７及び図８の説明を、図３及び図４と異なる部分に注目して行う。
【００４７】
図７及び図８に示すように、配達物受け２０Ｐは、検知部３０として、配達物投入扉２２の開放を検知する投入検知センサ３２が設けられている。投入検知センサ３２は、配達物受け２０Ｐの側面に配置されている。投入検知センサ３２は、配達物投入扉２２が開放されたときに、検知信号をビーコン装置４０の判定部４１へ出力する。
【００４８】
また、配達物受け２０Ｐは、検知部３０として、配達物取出し扉２３の開放を検知する取出し検知センサ３３を設けている。取出し検知センサ３３は、配達物取出し扉２３のヒンジ部から遠い側の配達物受け２０Ｐの側面に配置されている。取出し検知センサ３３は、配達物取出し扉２３が開放されたときに、検知信号をビーコン装置４０の判定部４１へ出力する。
【００４９】
投入検知センサ３２及び取出し検知センサ３３には、磁気センサ又は光センサを用いることができる。例えば、磁気センサを用いる場合には、配達物投入扉２２及び配達物取出し扉２３に磁石が配置される。各扉の磁石と、投入検知センサ３２及び取出し検知センサ３３とは、対向した位置に配置される。光センサ（透過型、反射型）を用いる場合には、各扉の開閉状態に応じて受光部に入射する光量の違いから各扉の開閉が検知される。
【００５０】
投入検知センサ３２及び取出し検知センサ３３は、ビーコン装置４０の判定部４１に接続され、配達物投入扉２２及び配達物取出し扉２３の開放を検知する検知部３０（図４）として用いられる。
【００５１】
次に、第１の実施の形態の変形例に係る物品存在通知システム１による物品存在通知処理を説明する。
図９は、第１の実施の形態の変形例に係る物品存在通知処理を示すフローチャートである。図９において、左側のラインが、配達物受け２０Ｐ内のビーコン装置４０の処理の流れを示し、右側のラインが、通信端末５０の処理の流れを示す。
【００５２】
図９に示すように、配達物受け２０Ｐに設けられたビーコン装置４０の判定部４１は、まず投入検知センサ３２が配達物受け２０Ｐへの配達物Ｄの投入を検知したかどうかを判定する（ステップＳ１１）。すなわち、判定部４１は、投入検知センサ３２が検知信号を出力したかどうかを判定する。
【００５３】
判定部４１は、投入検知センサ３２から検知信号を受信した場合には（ステップＳ１１のＹＥＳ）、配達物受け２０Ｐに配達物Ｄが存在すると判定（ステップＳ１２）し、判定結果を送信部４２へ送信する。
【００５４】
送信部４２は、配達物受け２０Ｐに配達物Ｄが存在するという判定結果を受けて、ビーコン信号Ｂ１を送信する（ステップＳ１３）。このとき送信されるビーコン信号Ｂ１には、記憶部４３に記憶されている第１の識別情報が付加されている。
【００５５】
また、判定部４１は、投入検知センサ３２から検知信号を受信しなかった場合には（ステップＳ１１のＮＯ）、投入検知センサ３２から出力される検知信号に対する監視を継続する。
【００５６】
次に、判定部４１は、取出し検知センサ３３が配達物受け２０Ｐの配達物Ｄの取出しを検知したかどうかを判定する（ステップＳ１４）。すなわち、判定部４１は、取出し検知センサ３３が検知信号を出力したかどうかを判定する。
【００５７】
判定部４１は、取出し検知センサ３３から検知信号を受信した場合には（ステップＳ１４のＹＥＳ）、配達物受け２０Ｐに配達物Ｄが存在しないと判定（ステップＳ１５）し、判定結果を送信部４２へ送信する。
【００５８】
送信部４２は、配達物受け２０Ｐに配達物Ｄが存在しないという判定結果を受けて、ビーコン信号Ｂ１の送信を停止する（ステップＳ１６）。ステップＳ１６の処理が終了後、ステップＳ１１に戻る。
【００５９】
ステップＳ１７〜Ｓ１９の処理は、図５のステップＳ６〜Ｓ８の処理と同じであるから、簡単に説明する。通信端末５０を所持するユーザが配達物受け２０Ｐの近くを通ると、通信端末５０はビーコン装置４０から送信されたビーコン信号Ｂ１を受信する（ステップＳ１７）。そして、ビーコン信号Ｂ１を受信した場合には、通信端末５０は、受信したビーコン信号Ｂ１に含まれる第１の識別情報と、記憶部５４に記憶されている第２の識別情報とが対応するか否かを判定する（ステップＳ１８）。受信した第１の識別情報と記憶部５４に記憶された第２の識別情報が対応するとき、通信端末５０は、ユーザＵの配達物受け２０Ｐに配達物Ｄが存在することを通知する処理を行う（ステップＳ１９）。
【００６０】
上述した第１の実施の形態の変形例は、第１の実施の形態による作用、効果に加えて以下の作用、効果を奏する。第１の実施の形態の変形例によれば、配達物受け２０Ｐ内の配達物Ｄの存在をより確実に検知できる。例えば配達物受け２０Ｐの開口部に配達物Ｄが引っかかって重量センサ３１では検知されないような場合でも、取出し検知センサ３３により配達物取出し扉２３の動作を検知することで、配達物受け２０Ｐに配達物Ｄが存在するか否かを判断できる。
【００６１】
＜２．第２の実施の形態＞
次に、図１０〜図１２を参照して、本発明の第２の実施の形態に係る物品存在通知システムを説明する。本実施の形態は、物品存在通知システムが備える物品受けを宅配ボックス（集合宅配ボックス）に適用した例である。宅配ボックスは、受取人が留守の場合に宅配便などを受け取るための設備である。第２の実施の形態は、宅配業者（配達員）が宅配ボックスに入力する情報（ボックス番号、部屋番号）を識別情報として用いる点が、第１の実施の形態と異なる。
【００６２】
［２−１．物品存在通知システムの全体構成］
図１０は、本発明の第２の実施の形態に係る物品存在通知システムが適用された集合宅配ボックスの概要を示す全体図である。
マンション等の集合住宅に設置された集合宅配ボックス６０にビーコン装置４０が配置される。ビーコン装置４０は、少なくとも集合宅配ボックス６０に一つあれば足りる。集合宅配ボックス６０は、複数（図１０では８個）の宅配ボックス６０Ｐで構成される。
【００６３】
図１０に示すように、集合宅配ボックス６０は、一例として入力部７１と表示部７３とを備えた入力装置７０を有している。宅配業者ＤＰは、どの宅配ボックス６０Ｐが空いているかを確認し、空いている宅配ボックス６０Ｐの扉を開けて荷物を入れるとともに、受取人の部屋番号を入力する。配達物Ｄが投入された宅配ボックス６０Ｐには錠がかかり、暗証番号やICカードなどを持つ受取人のみが宅配ボックス６０Ｐを開けられる仕組みとなっている。図１０は、ボックス番号が“２番”の宅配ボックス６０Ｐに荷物（配達物Ｄ）が投入され、受取人の部屋番号として“４１０号室”が入力された例を示している。
【００６４】
例えば居住者であるユーザＵが集合宅配ボックス６０のそばを通ったときに宅配ボックス６０Ｐの中に配達物Ｄが投入されていると、ユーザＵが所持する通信端末５０は宅配ボックス６０Ｐに配置されたビーコン装置４０が送信したビーコン信号Ｂ２（後述する図１１参照）を受信する。そのビーコン信号Ｂ２を受信した通信端末５０は、宅配ボックス６０Ｐの中の配達物Ｄの存在に関する情報（ボックス番号、部屋番号等）をユーザＵに通知する。
【００６５】
［２−２．物品存在通知システムのハードウェア構成例］
図１１は、物品存在通知システム１Ａが備える集合宅配ボックス６０内の入力装置７０及びビーコン装置４０、通信端末５０のハードウェア構成例を示すブロック図である。
【００６６】
入力装置７０は、入力部７１、記憶部７２及び表示部７３を備えている。
入力部７１は、集合宅配ボックス６０の筐体に配置されたボタン、スイッチの他に画面タッチによって行われた操作入力を受け付ける。配達業者ＤＰは入力部７１を用いてボックス番号及び部屋番号を入力し、ユーザ（受取人）は受け取り完了を入力する。
【００６７】
記憶部７２は、配達業者ＤＰにより入力されたボックス番号及び部屋番号を、受取人を識別するための識別情報（第３の識別情報）として記憶する。この第３の識別情報は、第１の実施の形態に係る第１の識別情報（ビーコンＩＤ）に代わるものであり、物品の存在に関する情報としても用いられる。この記憶部７２は、例えば、ＲＡＭ、ＲＯＭ等として用いられる記憶媒体によって構成されている。
【００６８】
表示部７３は、宅配業者ＤＰや受取人に入力を促す画面を表示したり、入力された内容を表示したりする。なお、入力部７１と表示部７３が、操作面と表示面とを重ねたタッチパネルディスプレイを構成してもよい。
【００６９】
ビーコン装置４０の判定部４１は、入力装置７０の記憶部７２に配達物Ｄの存在に関する情報として第３の識別情報（ボックス番号及び部屋番号）が記憶されているか確認する。判定部４１は、入力装置７０の記憶部７２に第３の識別情報が記憶されている場合には、第３の識別情報を記憶部４３に記憶する。そして、判定部４１は、記憶部４３に記憶された第３の識別情報を用いて、宅配ボックス６０Ｐに配達物Ｄが存在するか否かを判定する。
【００７０】
送信部４２は、ビーコン信号Ｂ２を送信する際に、記憶部４３に記憶された第３の識別情報（ボックス番号及び部屋番号）をビーコン信号Ｂ２に付加して送信する。
【００７１】
通信端末５０の処理部５２は、受信部５１がビーコン信号Ｂ２を受信した場合には、ビーコン信号Ｂ２から第３の識別情報を取り出し、この第３の識別情報（部屋番号）と記憶部５４に記憶されている識別情報（第２の識別情報）とが対応しているか否かを判定する。ここで、記憶部５４には、第２の識別情報としてユーザが居住する部屋の部屋番号が記憶されている。
【００７２】
［２−３．ビーコン信号の送信による通知動作（物品存在通知処理）］
次に、物品存在通知システム１Ａによる物品存在通知処理を説明する。
図１２は、本発明の第２の実施の形態に係る物品存在通知処理を示すシーケンス図である。図１２のシーケンス図と図５又は図９のフローチャートとの主な違いは、識別情報及び物品の存在に関する情報として宅配業者（配達員）が入力する情報（ボックス番号、部屋番号）を利用している点である。
【００７３】
まず前提として、宅配業者ＤＰが、集合宅配ボックス６０の空いている宅配ボックス６０Ｐの扉を開けて荷物を入れ、扉を閉める。次いで、宅配業者ＤＰは、入力装置７０の入力部７１を操作して、配達物Ｄを投入した宅配ボックス６０Ｐのボックス番号と宅配伝票等に記載されている受取人の部屋番号とを入力する（ステップＳ２１）。
【００７４】
入力終了後、例えば宅配業者ＤＰが入力部７１を操作して確定ボタン等を選択することで、入力内容が確定する。そして、確定された入力内容（ボックス番号、部屋番号）は、識別情報（第３の識別情報）として記憶部７２に記憶される。
【００７５】
ビーコン装置４０の判定部４１は、入力装置７０の記憶部７２に物品の存在に関する情報として第３の識別情報（ボックス番号及び部屋番号）が記憶されているか確認する（ステップＳ２２）。そして、判定部４１は、記憶部７２に第３の識別情報が記憶されていることを検知した場合には、宅配ボックス６０Ｐに配達物Ｄが存在すると判定し、判定結果を送信部４２へ送信する。一方、判定部４１は、記憶部７２に第３の識別情報が記憶されていない場合には、待機する（定期的に記憶部７２を参照する処理を継続する）。
【００７６】
次いで、送信部４２は、宅配ボックス６０Ｐに配達物Ｄが存在するという判定結果を受けて、第３の識別情報（ボックス番号及び部屋番号）を記憶部４３に記憶する。そして、送信部４２は、記憶部４３に記憶した第３の識別情報を含むビーコン信号Ｂ２を送信する（ステップＳ２３）。
【００７７】
通信端末５０を所持するユーザＵが集合宅配ボックス６０のそばを通ると、通信端末５０の受信部５１は、ビーコン信号Ｂ２を受信する（ステップＳ２４）。
【００７８】
次に、処理部５２は、受信したビーコン信号Ｂ２に含まれる第３の識別情報と、記憶部５４に記憶されている第２の識別情報とが対応するか否かを判定する（ステップＳ２５）。
【００７９】
ステップＳ２５の判定処理において受信した第３の識別情報と記憶部５４に記憶された第２の識別情報が対応する場合には、処理部５２は、ユーザＵの宅配ボックス６０Ｐに配達物Ｄが存在することを通知する処理を行う（ステップＳ２６）。
【００８０】
受取人であるユーザＵは、宅配ボックス６０Ｐから配達物Ｄを取り出した後、入力装置７０の入力部７１を操作して受け取り完了を入力する（ステップＳ２７）。入力部７１に受け取り完了の入力がなされると、記憶部７２から該当する第３の識別情報（ボックス番号及び部屋番号）が削除される。
【００８１】
ビーコン装置４０の判定部４１は、記憶部７２から第３の識別情報が削除された場合には、宅配ボックス６０Ｐに配達物Ｄが存在しないと判定し、記憶部４３に記憶されている第３の識別情報（ボックス番号及び部屋番号）を削除する。これを受けて送信部４２は、ビーコン信号Ｂ２の送信を停止する（ステップＳ２８）。
【００８２】
なお、複数の宅配ボックス６０Ｐに配達物Ｄが投入されている場合には、ビーコン装置４０はそれぞれにボックス番号と部屋番号（第３の識別情報）を記憶部４３に記憶し、第３の識別情報ごとにビーコン信号Ｂ２を送信する。このようにすることで、各配達物Ｄの受取人が所持する通信端末５０に配達物Ｄの存在が通知される。ビーコン装置４０は、第３の識別情報ごとに該第３の識別情報を含むビーコン信号Ｂ２を時分割で送信する。
【００８３】
上述した第２の実施の形態によれば、第１の実施の形態と同様の作用、効果を奏する。すなわち、第２の実施の形態では、ユーザＵは集合宅配ボックス６０のそばを通ったときに、集合宅配ボックス６０の中を確認することなく、集合宅配ボックス６０の中に配達物Ｄが存在していることを知ることができる。
【００８４】
それにより、例えばユーザＵが、外出先から自宅に帰ったときなどに郵便受けに不在連絡票が入っていることを確認する前に、配達物受け２０Ｐの中に配達物Ｄがあることが知らされるため、帰宅後に配達物Ｄを速やかに取り出すことができる。
【００８５】
なお、本実施の形態では、第３の識別情報としてボックス番号及び部屋番号を含むビーコン信号Ｂ２を送信するようにしたが、第３の識別情報は受取人が特定できるものであればよいため、部屋番号のみでもよい。
【００８６】
＜３．第３の実施の形態＞
次に、図１３〜図１４を参照して、本発明の第３の実施の形態に係る配達物受けを説明する。本実施の形態は、重量センサ等の検知結果を利用して配達物受け内の物品の存在及び物品の個数等の情報を通知するようにしたものである。本実施の形態では、配達物受けに投入される物品は同じ物であることを前提とする。即ち、物品の形状及び重量は常に同じである。受け渡しする物品一つあたり（物品単位）の重量及び高さ等のサイズが同じ場合には、物品全体の重量を計測、又は物品全体の高さ等のサイズを計測することにより、物品の数量が得られる。
【００８７】
図１３は、本発明の第３の実施の形態に係る配達物受けの外観図である。
配達物受け８０は、例えば中空の直方体又は立方体の本体部を有し、一面に形成された開口部を通じて内部に物品を投入できる構造である。本体部内部の底面には、検知部３０（図４参照）としての重量センサ３１が配置されている。配達物受け８０の本体部の一面（図１３では側面）に、ビーコン装置４０が取り付けられている。図１３では、配達物受け８０内に、同じ形状及び重量である３個の配達物Ｄが投入されている。
【００８８】
重量センサ３１は、物品から受ける荷重（総重量）を検知し、検知結果をビーコン装置４０の判定部４１（図４）へ出力する。判定部４１は、重量センサ３１による検知結果を基に配達物受け８０に物品（配達物Ｄ）が存在するか否かを判定する。また判定部４１は、検知結果に基づいて、又は検知結果と物品単位の情報とに基づいて配達物受け８０に存在する物品の状態情報を判定する。物品の状態情報とは、配達物受け８０に投入された物品の個数、あるいは物品の重量や高さ等のサイズについての情報である。物品単位の情報は、記憶部４３に予め記憶されている。
【００８９】
例えば、配達物Ｄの物品単位の情報として配達物Ｄの重量が１ｋｇであるとき、重量センサ３１の検知結果が３ｋｇであれば、３個の配達物Ｄが存在することが計算できる。即ち、物品の状態情報として、配達物Ｄが３個あるという情報が得られる。
【００９０】
そして、判定部４１は、配達物受け８０に配達物Ｄが存在することと、配達物Ｄの状態情報（配達物Ｄの個数が３個であること）を送信部４２へ（図４）通知する。送信部４２は、判定部４１が配達物受け８０に配達物Ｄが存在すると判定している間、識別情報（第１の識別情報）及び配達物Ｄの状態情報を含むビーコン信号を、ビーコン装置４０の周囲に周期的に送信する。そして、通信端末５０を所持するユーザが配達物受け８０の前を通ると、通信端末５０がこのビーコン信号を受信して、配達物受け８０に配達物Ｄが存在することと、３個の配達物Ｄがあることを通知する。
【００９１】
なお、重量センサ３１に代えて、光センサを用いてもよい。例えば配達物受け８０の側面に光センサを設ける。光センサは複数設けられていてもよい。物品全体の高さ（物品の積載数）等のサイズに応じて、光センサに光が入力される。そして光センサは、物品全体の高さ等のサイズに対応する検知信号（検知結果）を判定部４１へ出力する。また光センサは、配達物受け８０の上面又は下面に設けられて、横方向に配列された物品の数に応じた光を受光し、検知信号を出力するようにしてもよい。
【００９２】
なお、判定部４１が物品単位の情報を基に物品の個数を計算する例を説明したが、物品の個数と総重量（高さ等のサイズ）を対応づけた数量テーブルを記憶部４３に保存しておいてもよい。判定部４１は、重量センサ３１等の検知結果（総重量又は高さ等のサイズ）を元に、数量テーブルから物品の個数を読み出すようにしてもよい。
【００９３】
また、上述した例では、判定部４１が物品の状態情報として物品の個数を判定するようにしたが、重量センサ３１による検知結果即ち荷重に応じた検知信号に基づいて物品の総重量を判定するようにしてもよい。あるいは、光センサの検知信号に基づいて物品の高さ等のサイズを判定するようにしてもよい。判定部４１は、それらの判定結果を物品の状態情報として送信部４２へ出力する。送信部４２は、この物品の状態情報（総重量や高さ等のサイズ）と識別情報とを含むビーコン信号をビーコン装置４０の周囲に周期的に送信する。そして、ビーコン信号を受信した通信端末５０の処理部５２（図４）は、ビーコン信号に含まれる物品の状態情報と予め記憶部５４（図１１）に記憶された物品単位の情報とから、物品の個数（配達物Ｄが３個であること）を計算し、通知処理を行う。なお、記憶部５４に物品単位の情報が記憶されていない場合には、ビーコン装置４０が、物品の状態情報とともに物品単位の情報も乗せたビーコン信号を送信する。
【００９４】
また、配達物受け８０に図１０の入力装置７０のような入力装置を設け、配達物受け８０に物品を入れた配達業者などが、物品の状態情報として物品の個数や重量を入力できるようにしてもよい。入力装置から入力された物品の判定情報（物品の個数又は重量の情報）は、判定部４１（図１１）を介して送信部４２へ送られる。
【００９５】
このように、ビーコン装置４０から送信されるビーコン信号に物品の状態情報を含めることにより、通信端末５０は、受け渡しする物品がどの程度あるかをユーザ（通信端末５０）に通知することができる。図１３に示した仕組みを、工場の在庫管理などに応用することが可能である。
【００９６】
図１４は、本発明の第３の実施の形態に係る配達物受けが適用された倉庫の外観図である。
図１４に示すように、倉庫９０の床面に、２つの物品受け９１，９２が設置されている。物品受け９１，９２は、一例としてトレイ形状であるが、パレットのようなものでもよい。物品受け９１，９２の底面には、重量センサ３１が配置されている。また、物品受け９１，９２には、一例として前面にビーコン装置４０が取り付けられている。物品受け９１に取り付けられたビーコン装置４０の識別情報と、物品受け９２に取り付けられたビーコン装置４０の識別情報とは異なるものとする。
【００９７】
左側の物品受け９１には３個の物品Ｄ１が積載され、右側の物品受け９２には２個の物品Ｄ２が積載されており、物品受け９１，９２の重量センサ３１は、物品から受ける荷重（総重量）を検知する。物品受け９１，９２の重量センサ３１が物品の荷重を検知すると、物品受け９１，９２に取り付けられたビーコン装置４０はそれぞれ、物品受け９１，９２の重量センサ３１による検知の結果から、物品受け９１，９２に載置された物品Ｄ１，Ｄ２の個数（物品の状態情報）を判定する。そして、物品受け９１，９２に取り付けられたビーコン装置４０はそれぞれ、識別情報と、積載された物品Ｄ１，Ｄ２の個数の情報とを含むビーコン信号を、ビーコン装置４０の周囲に周期的に送信する。
【００９８】
それにより、例えば倉庫９０の管理者が物品受け９１，９２の前を通るだけで、管理者が所持する通信端末５０で複数の物品受け９１，９２からビーコン信号を受信することができる。それゆえ、管理者は、各物品受け９１，９２に載置された物品Ｄ１，Ｄ２の個数を計数することなく、倉庫９０の中に何がいくつあるのかを正確に把握することができる。
【００９９】
＜４．その他＞
上述した第１及び第２の実施の形態では、物品受けとしてマンション等の集合住宅の集合配達物受け２０（配達物受け２０Ｐ）及び集合宅配ボックス６０を例示したが、この例に限らない。本発明で用いられる物品受けは、一戸建て等の住宅に設置される個別の配達物受けや宅配ボックス等にも適用可能なことは勿論である。さらに、物品受けとして、例えばユーザが居住していない建物に設置された私書箱（郵便物を受け取るための専用ロッカー）やコインロッカー等を用いることもできる。
【０１００】
また、図７及び図８に示した配達物受け２０Ｐに配達物Ｄが存在することをより確実に検知するために、扉開閉センサ（投入検知センサ３２、取出し検知センサ３３）と重量センサ３１とを併用してもよい。これらのセンサを併用することで、例えば配達物受け２０Ｐの開口部に配達物Ｄが引っかかって重量センサ３１では検知されないような場合や、取出し検知センサ３３が扉の開状態を検知したものの配達物受け２０Ｐの底に取り忘れた配達物Ｄが残っているような場合であっても、配達物受け２０Ｐに配達物Ｄが存在するか否かを確実に判断できる。
【０１０１】
上述した第１の実施の形態の物品存在通知システム１では、ビーコン装置４０を各戸の配達物受け２０Ｐに取り付けたが、ビーコン装置４０は集合配達物受け２０に一つでもよい。この場合、どの配達物受け２０Ｐに取り付けたセンサ（重量センサ及び／又は扉開閉センサ）から検知信号を受信したのかを、ビーコン装置４０が判別できる仕組みがあればよい。例えばビーコン装置４０の記憶部４３に配達物受け２０Ｐの部屋番号とセンサの固有情報（製造番号等）とを対応づけたテーブルを格納し、センサの固有情報を基にテーブルを参照することで部屋番号を特定することができる。この特定した部屋番号を識別情報として含むビーコン信号を通信端末５０が受信することで、この部屋番号の部屋に済むユーザに配達物Ｄの存在を通知できる。
【０１０２】
さらに、本発明は上述した各実施の形態例に限られるものではなく、特許請求の範囲に記載した本発明の要旨を逸脱しない限りにおいて、その他種々の応用例、変形例を取り得ることは勿論である。
【０１０３】
例えば、上述した実施の形態例は本発明を分かりやすく説明するために装置及びシステムの構成を詳細且つ具体的に説明したものであり、必ずしも説明した全ての構成を備えるものに限定されるものではない。また、ある実施の形態例の構成の一部を他の実施の形態例の構成に置き換えることは可能である。また、ある実施の形態例の構成に他の実施の形態例の構成を加えることも可能である。また、各実施の形態例の構成の一部について、他の構成の追加、削除、置換をすることも可能である。
【０１０４】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０１０５】
１，１Ａ…物品存在通知システム、  ２０…集合配達物受け、  ２０Ｐ…配達物受け、  ２２…配達物投入扉、  ２３…配達物取出し扉、  ３０…検知部、  ３１…重量センサ、  ３２…投入検知センサ、  ３３…取出し検知センサ、  ４０…ビーコン装置、  ４１…判定部、  ４２…送信部、  ４３…記憶部、  ５０…通信端末、  ５１…受信部、  ５２…処理部、  ５３…アプリケーション実行部、  ５４…記憶部、  ５５…操作部、  ５６…表示部、  ６０…集合宅配ボックス、  ６０Ｐ…宅配ボックス、  ７０…入力装置、  ７１…入力部、  ７２…記憶部、  ８０…配達物受け、  ９１，９２…物品受け
【図１】
2016137963.tif 000003
【図２】
2016137963.tif 000004
【図３】
2016137963.tif 000005
【図４】
2016137963.tif 000006
【図５】
2016137963.tif 000007
【図６】
2016137963.tif 000008
【図７】
2016137963.tif 000009
【図８】
2016137963.tif 000010
【図９】
2016137963.tif 000011
【図１０】
2016137963.tif 000012
【図１１】
2016137963.tif 000013
【図１２】
2016137963.tif 000014
【図１３】
2016137963.tif 000015
【図１４】
2016137963.tif 000016